(57)【特許請求の範囲】
【請求項１】
被検眼の検眼情報を求める眼科装置において、被検眼の角膜形状データを屈折力の形式に変換した角膜表面屈折力データ及び他覚的に測定された被検眼を正視にするのに必要な屈折量である他覚的眼屈折力データを得る屈折力データ入力手段と、前記角膜表面屈折力データ及び前記他覚的眼屈折力データに基づいて、被検眼を正視とするに必要な屈折力を角膜表面屈折力の形式で表した等価正視角膜表面屈折力データを求める等価正視角膜表面屈折力演算手段と、該等価正視角膜表面屈折力データ，又は等価正視角膜表面屈折力を角膜形状の形式に変換した等価正視角膜表面形状データを表示する表示手段と、を備えることを特徴とする眼科装置。
【請求項２】
請求項１の眼科装置において、前記表示手段は、等価正視角膜表面屈折力データと角膜表面屈折力データ又は他覚的眼屈折力データの少なくとも一方とを同一の画面に表示することを特徴とする眼科装置。
【請求項３】
請求項１の眼科装置において、前記表示手段は、等価正視角膜表面屈折力を角膜形状の形式に変換した等価正視角膜表面形状データと前記角膜形状データとを同一の画面に表示することを特徴とする眼科装置。
【発明の詳細な説明】
【０００１】
【発明の属する技術分野】
本発明は、被検眼が持つ屈折力と角膜形状とに関係する眼情報を得る眼科装置に関する。
【０００２】
【従来技術】
被検眼の屈折力は他覚式眼屈折力測定装置により得ることができる。この装置としては、被検眼眼底に測定指標を投影し、眼底からの反射指標像を検出することにより、眼屈折力を得るものが知られている。この眼屈折力値は、角膜の中心領域３ｍｍ弱の情報を反映するものとして得られる。
【０００３】
また、被検眼の角膜表面形状は角膜曲率測定装置や角膜形状解析装置により得られる。角膜曲率測定装置としては、角膜に投影した測定指標の位置を検出することにより、角膜形状をトーリック面と仮定して、角膜の強主経線及び弱主経線方向の曲率を得るものが知られている。この曲率値も角膜の中心領域約３ｍｍの情報のみである。
【０００４】
角膜形状解析装置としては、角膜表面に投影された多数のプラチドリング指標等を画像処理して、角膜の広い範囲にわたる曲率の分布を求めるものが知られている。さらに角膜曲率は角膜屈折力として表現される。この算出には、一般に次の式が使用されている。
Ｄ＝（ｎｅ−１）／ｒ    ・・・・・・（式１）
ここで、ｒは角膜曲率、Ｄは屈折力、ｎｅは角膜の換算屈折率である。一般にｎｅ=1.3375が広く使用されている。
【０００５】
【発明が解決しようとする課題】
ところで、眼屈折力測定装置により測定される値は、被検眼を正視の状態にするに必要な屈折量（補正量）を示しており、上記の角膜曲率から換算される屈折力の値とは、その意味合いが全く異なっている。このため、各測定装置で測定された値は別個のものとして扱われており、相互の関係は分かり難いものであった。
【０００６】
本発明は、上記従来技術に鑑み、眼屈折力と角膜形状との関係を分かりやすい形式で得ることができる眼科装置を提供することを技術課題とする。
【０００７】
【課題を解決するための手段】
上記課題を解決するために、本発明は以下のような構成を備えることを特徴とする。
【０００８】
（１）  被検眼の検眼情報を求める眼科装置において、被検眼の角膜形状データを屈折力の形式に変換した角膜表面屈折力データ及び他覚的に測定された被検眼を正視にするのに必要な屈折量である他覚的眼屈折力データを得る屈折力データ入力手段と、前記角膜表面屈折力データ及び前記他覚的眼屈折力データに基づいて、被検眼を正視とするに必要な屈折力を角膜表面屈折力の形式で表した等価正視角膜表面屈折力データを求める等価正視角膜表面屈折力演算手段と、該等価正視角膜表面屈折力データ，又は等価正視角膜表面屈折力を角膜形状の形式に変換した等価正視角膜表面形状データを表示する表示手段と、を備えることを特徴とする。
【０００９】
（２）  （１）の眼科装置において、前記表示手段は、等価正視角膜表面屈折力データと角膜表面屈折力データ又は他覚的眼屈折力データの少なくとも一方とを同一の画面に表示することを特徴とする。
【００１０】
（３）  （１）の眼科装置において、前記表示手段は、等価正視角膜表面屈折力を角膜形状の形式に変換した等価正視角膜表面形状データと前記角膜形状データとを同一の画面に表示することを特徴とする。
【００１５】
【発明の実施の形態】
以下、本発明の実施の形態を図面に基づいて説明する。図１は本発明に係る装置の光学系概略配置図である。光学系は、眼屈折力測定光学系、固視標光学系及び角膜曲率測定光学系に大別される。
【００１６】
（眼屈折力測定光学系）
眼屈折力測定光学系１００は、スリット投影光学系１とスリット像検出光学系１０から構成される。スリット投影光学系１の光源２を発した赤外の光は、ミラ−３に反射されて回転セクタ−４のスリット開口４ａを照明する。回転セクタ−４はモータ５により回転される。回転セクタ−４の回転により走査されたスリット光束は、投影レンズ６、制限絞り７を経た後にビ−ムスプリッタ８で反射される。その後、固視標光学系及び観察光学系の光軸を同軸にするビ−ムスプリッタ９を透過して被検眼Ｅの角膜近傍で集光した後、眼底に投影される。なお、光源２は投影レンズ６に関して被検眼角膜近傍と共役な位置に位置する
【００１７】
スリット像検出光学系１０は、主光軸Ｌ1 上に設けられた受光レンズ１１及びミラ−１２と、ミラ−１２により反射される光軸Ｌ3 上に設けられた絞り１３及び受光部１４を備える。絞り１３はミラ−１２を介して受光レンズ１１の後ろ側焦点位置に配置される（即ち、正視眼の被検眼眼底と共役な位置に位置する）。受光部１４はその受光面に、図２に示すように、受光レンズ１１に関して被検眼角膜と略共役な位置に位置する８個の受光素子１５ａ〜１５ｈを有している。この内の受光素子１５ａ〜１５ｆは受光面の中心（光軸Ｌ3 ）を通る直線上に位置し、受光素子１５ａと１５ｂ、受光素子１５ｃと１５ｄ、受光素子１５ｅと１５ｆがそれぞれ受光面の中心に対して対称になるように設けられている。この３対の受光素子は、角膜の経線方向の各位置に対応した屈折力を検出できるように、その配置距離が設定されている（図２上では、角膜上における等価サイズとして示している）。一方、受光素子１５ｇと１５ｈは、光軸Ｌ3 を中心にして受光素子１５ａ〜１５ｆと直交する直線上で対称になるように設けられている。
【００１８】
このような構成の眼屈折力測定光学系１００は、モ−タ２０とギヤ等から構成される回転機構２１により、スリット投影光学系１のスリット照明光源２〜モ−タ５が光軸Ｌ2 を中心に、受光部１４が光軸Ｌ3 を中心にして同期して回転するようになっている。本形態では、乱視を持たない遠視または近視の被検眼眼底上でスリット開口４ａによるスリット光束が走査されたとき、受光素子１５ａ〜１５ｆの配置方向が受光部１４上で受光されるスリットの長手方向と直交する方向となるように設定している。
【００１９】
（固視標光学系）
３０は固視標光学系であり、３１は可視光源、３２は固視標、３３は投光レンズである。投光レンズ３３は光軸方向に移動することによって被検眼の雲霧を行う。３４は観察光学系の光軸を同軸にするビ−ムスプリッタである。光源３１は固視標３２を照明し、固視標３２からの光束は投光レンズ３３、ビ−ムスプリッタ３４を経た後、ビ−ムスプリッタ９で反射して被検眼Ｅに向かい、被検眼Ｅは固視標３２を固視する。
【００２０】
（角膜曲率測定光学系）
角膜曲率測定光学系は曲率測定用指標投影光学系２５と曲率測定用指標検出光学系３５とから成る。曲率測定用指標投影光学系２５は次の構成を有する。２６は中央部に開口を持つ円錐状のプラチド板であり、プラチド板２６には光軸Ｌ1 を中心にした同心円状に多数の透光部と遮光部を持つリングパタ−ンが形成されている。２７はＬＥＤ等の複数の照明光源であり、照明光源２７から発した照明光は反射板２８で反射され、プラチド板２６を背後からほぼ均一に照明する。プラチド板２６の透光部を透過したリングパタ−ンの光束は被検眼角膜に投影される。
【００２１】
曲率測定用指標検出光学系３５は、ビ−ムスプリッタ９、ビ−ムスプリッタ３４、撮影レンズ３７及びＣＣＤカメラ３８を備える。曲率測定用指標投影光学系２５により投影されたリングパタ−ンの角膜反射光束は、ビ−ムスプリッタ９及びビ−ムスプリッタ３４で反射された後、撮影レンズ３７によりＣＣＤカメラ３８の撮像素子面にリングパタ−ンの角膜反射像を形成する。また、この曲率測定用指標検出光学系は観察光学系を兼ね、図示なき前眼部照明光源に照明された被検眼Ｅの前眼部像はＣＣＤカメラ３８の撮像素子面に結像し、ＴＶモニタ３９に映出される。
【００２２】
次に、装置の動作を図３に示す制御系のブロック構成図を使用して説明する。まず、眼屈折力と角膜曲率の測定について説明する。
【００２３】
角膜曲率を測定する場合は、モード切換スイッチ４０により角膜曲率測定モードを選択する。検者は照明光源（図示せず）に照明された被検眼Ｅの前眼部像をＴＶモニタ３９により観察してアライメントを行う（アライメントは位置合わせ用の指標を角膜に投影し、その角膜反射輝点とレチクルとが所定の関係になるようにする周知のものが使用できる）。アライメントが完了したら、図示なき測定開始スイッチによりトリガ信号を発生させて測定を開始する。
【００２４】
角膜形状演算部５３は、ＣＣＤカメラ３８で撮影された像を画像処理して、プラチドリング像のエッジ検出を行う。そして、所定の角度（１度）ステップ毎に角膜中心に対する各エッジ位置を得ることより角膜曲率を求める。角膜曲率の演算は次のように行うことができる。図４に示すように、角膜から光軸上距離Ｄ、高さＨにある光源Ｐの角膜凸面による像ｉが、レンズＬにより２次元検出面上に結像したときの検出像高さをｈ´とし、装置の光学系の倍率をｍとすると、角膜曲率半径Ｒは、次式により求めることができる。
Ｒ＝（２Ｄ／Ｈ）ｍｈ´
【００２５】
また、角膜曲率の次のような算出方法を採用することができる。ｊ番目のリングが角膜に投影される領域の曲率半径をＲｊ、ｊ番目のリング高さと被検眼までの距離及び撮影倍率で決定される比例定数をＫｊ、撮像面上での像高さをｈｊとすると、前述の関係式は、
Ｒｊ＝Ｋｊ・ｈｊ
と表される。ここで、測定レンジをカバ−する複数の既知の曲率を持つ模型眼を予め測定することで、比例定数Ｋｊを装置固有の値として得ることができ、測定時にこれを読みだして演算するようにすると、極めて短時間で曲率分布を得ることができる（角膜曲率の算出についての詳細は、特開平７−１２４１１３号公報等を参照されたい）。得られた角膜曲率のデータは、メモリ５５ｂに記憶する。
【００２６】
眼屈折力（以下、これを他覚眼屈折力という）を測定する場合は、測定モードを眼屈折力測定モードに切換え（連続測定モードとした場合は、自動的に眼屈折力測定モードに切り換る）、眼屈折力測定光学系１００により測定を行う。眼屈折力演算部５２は、受光部１４が持つ各受光素子からの出力信号の位相差に基づいて他覚眼屈折力分布を得る。まず、従来の位相差法の屈折力と同様に予備測定を行い、その結果に基づいて固視標光学系３０の投光レンズ３３を移動して被検眼の雲霧を行う。その後、受光部１４上でのスリット像の光の移動に伴って変化する受光素子１５ｇと１５ｈの出力信号から、受光素子１５ａ〜１５ｆが位置する経線方向の角膜中心を求める。次に、その中心に対する各受光素子１５ａ〜１５ｆの出力信号の位相差から、各受光素子に対応する角膜部位での屈折力を求める。スリット投影光学系１と受光部１４を所定の角度（１度）ステップで光軸回りに１８０度回転させながら、各角度ステップの経線毎にこの屈折力の演算を行うことにより、経線方向で変化する屈折力の分布を求める（この詳細については、本出願人による特願平８−２８３２８１号を参照）。ここでの眼屈折力値は角膜頂点基準の値である（装置としては、眼鏡レンズ装用位置基準の屈折力値も出力できる）。得られた他覚眼屈折力のデータは、ＨＤＤ５５ａ又はメモリ５５ｂに記憶する。
【００２７】
以上のようにして他覚眼屈折力と角膜曲率の測定データが得られたら、制御部５０に接続されたカラーディスプレイ５６に表示される指示に従って、キーボード５８又はマウス５７を操作することにより解析をスタートする。制御部５０が備える解析部５４は、角膜曲率を角膜表面屈折力に変換した後、これに対する他覚眼屈折力の関係を表すための解析プログラムを実行する。
【００２８】
角膜曲率を角膜表面屈折力（Refractive Power）に変換する方法を説明する。角膜表面屈折力は、角膜頂点の法線と平行な光束が角膜により屈折をしたときのPowerであり、角膜曲率からの変換にはスネル（snell ）の法則を用いる。角膜曲率を角膜表面屈折力に変換する際、測定光軸付近（角膜中心付近）については、前述の（式１）を用いてもその誤差は少ない。しかし、これは測定光軸付近について議論できるのみであり、それ以上の角膜周辺まで適用するとその信頼度は乏しくなる。すなわち、角膜周辺領域をも扱うには、角膜に入射する光がスネルの法則を基本とした屈折に従うとし、これにより求まる屈折力が、他覚眼屈折力と同じ尺度で比較できる屈折力となる。なお、周知のようにスネルの法則（屈折の法則とも呼ばれている）は、屈折面に光線が入射するとき、その光線の入射点での法線及びこの点で屈折した屈折光線は同一平面にあり、更に、法線と入射光線との間の角度の正弦に対する法線と屈折光線との間の正弦との比が一定であることを示した法則である。すなわち、屈折面のそれぞれの側の屈折率をＮ、Ｎ´とし、入射光線及び屈折光線が法線とのなす角度をｉ、ｉ´とすると、スネルの法則は、
Ｎsinｉ＝Ｎ´sinｉ´
であることを示す。
【００２９】
スネルの法則を用いた角膜表面屈折力の算出について説明する。いま、図５において、角膜頂点Ｔと曲率中心Ｏａを通る直線と平行な光が、角膜頂点からＸ離れた角膜上の点Ｐで屈折し、点ｆにて直線ＴＯaと交わるとし、
Ｒａ：点Ｐでの角膜曲率
Ｒｒ：点Ｐと点ｆの距離
θ  ：点Ｐでの法線方向と入射光とがなす角度
γ  ：点Ｐでの法線方向と屈折光とがなす角度
とする（距離はメートルである）。この時の点Ｐでの屈折力は次の式により求めることができる。まず、図から、θは、
【数１】
0003693493.tif 000002
となる。また、γはsnell の法則により、
【数２】
0003693493.tif 000003
が成り立つ。これから、図に示す角度α（線分ｈＰと線分Ｐｆが成す角度）、Ｒｒ、及び線分ｈｆの距離は、
【数３】
0003693493.tif 000004
となる。別に、線分Ｔｈの距離は
【数４】
0003693493.tif 000005
であるので、角膜頂点から点ｆまでの距離は
【数５】
0003693493.tif 000006
となる。角膜屈折率ｎ（＝1.376）とする角膜中での屈折力は、
【数６】
0003693493.tif 000007
となるが、空気中での屈折力は、
【数７】
0003693493.tif 000008
となる。以上の演算を、全測定領域で適用することにより角膜表面屈折力が得られる（この算出は角膜形状演算部５３が行っても良い）。
【００３０】
次に、上記のように算出される角膜表面屈折力に対して、他覚眼屈折力を角膜表面と等価な屈折力に換算して表す。すなわち、これは被検眼を正視とするに必要な屈折力を角膜表面屈折力の形式で表した値となる（本明細書ではこれを「等価正視角膜表面屈折力」という）。
【００３１】
ここで、他覚眼屈折力と角膜形状から得られる角膜表面屈折力との関係を確認しておく。他覚眼屈折力の値と角膜形状から得られる屈折力の値との意味は、図６で示すように全く異なる。角膜形状から得られる屈折力の値は、焦点距離を求め、それを屈折力に変換している。これに対して他覚眼屈折力は、その目を正視の状態にするのに必要な屈折力(補正量)を測定している。例えば、他覚眼屈折力の測定領域と同じ領域の角膜形状から求まる角膜表面屈折力が、 43.50Ｄであり、他覚眼屈折力の測定値が0 Ｄである場合、この眼においては角膜表面屈折力が 43.50Ｄの時に、ちょうど網膜上に結像する光学系を持っているということになる。また、角膜形状から求まる角膜表面屈折力が 43.50Ｄであり、他覚眼屈折力が− 2Ｄである場合には、この眼においては角膜表面屈折力を− 2Ｄ分補正（ 41.50Ｄに）すれば、網膜上に結像することを示している。
【００３２】
即ち、上記のように他覚眼屈折力はその目が正視のときを０として正視の状態にするのに必要な相対的な屈折力（補正量）であるので、他覚眼屈折力の測定領域においては、角膜形状の測定から求まる角膜表面屈折力に他覚眼屈折力の測定値を符号を含めた加えた値が、正視状態になるための角膜表面屈折力となる。つまり、これが等価正視角膜表面屈折力であり、等価正視角膜表面屈折力＝角膜表面屈折力＋他覚眼屈折力で表される。
【００３３】
さらに、等価正視角膜表面屈折力はスネルの法則を用いて角膜曲率に変換する。この変換は、図５を引用すると、前述と同様な考え方によって導かれる次の２つの式より求められる。
【数８】
0003693493.tif 000009
ここで、Ｄが等価正視角膜表面屈折力であり、Ｒａが求める角膜曲率となる。
【００３４】
以上のようにして求まる等価正視角膜表面屈折力及びこれを変換した角膜曲率により、他覚屈折力の値と角膜形状の測定による値との関係を角膜表面の形式で表すことができるので、角膜表面形状の評価につなげることができる。すなわち、眼の全屈折力は、主に角膜屈折力と水晶体屈折力との和と言われているが、水晶体の屈折力を知ることは容易ではない。さらに、屈折異常の要素には眼軸長も加わる。これに対して、眼が持つ屈折力を上記のような形式で表すことにより、水晶体屈折力や眼軸等の未知数を知らなくても、屈折異常を角膜表面形状に置き換えることで現実の角膜表面形状との関係を知ることができる。
【００３５】
以上のようにして等価正視角膜表面屈折力（及びこれを変換した角膜曲率）が得られると、これと他覚眼屈折力、角膜表面屈折力とを視覚的に比較しやすいようにカラーディスプレイ５６に図形表示される。図７は、カラーマップの表示画面例である。画面右上方の表示部６１には角膜形状測定から得られた角膜表面屈折力の分布が、画面左上方の表示部６２には他覚眼屈折力の分布が、画面下段の表示部６３には正視等価角膜表面屈折力の分布が、それぞれカラーマップとして表示されている。また、画面右下にある表示切換キー６０により表示を切換えることができる。表示としては、角膜形状の測定結果による角膜曲率及び等価正視角膜表面屈折力から変換した角膜曲率のそれぞれを、カラーマップ表示、三次元形状表示、あるいは三次元形状をある経線方向の断面形状として重ねて表示したりすることができる。
【００３６】
このように他覚眼屈折力の測定結果と角膜形状の測定結果、及びこれらから求まる等価正視角膜表面屈折力の関係が図形表示されるので、例えば、被検眼を正視状態にする角膜矯正手術では、手術前の角膜屈折力及び角膜形状が手術後にどのように変化するかを、視覚的に捉えることができる。
【００３７】
さらにマウス等の操作により、角膜矯正手術のための解析プログラムの実行を指令すると、解析部５４は等価正視角膜表面屈折力を変換した角膜曲率と角膜形状測定による角膜曲率とから角膜切除量を算出する。以下、この算出方法を説明する。
【００３８】
図８、図９に示すように（説明を簡単にするために、図は角膜形状を円とし、ある経線方向の断面として表している）、切除領域を示すオプチカルゾーン７０の範囲にて、等価正視角膜表面屈折力より変換される角膜曲率から三次元形状を算出する。この形状と角膜形状測定による角膜曲率から算出される三次元形状とにより、角膜頂点を基準にしてオプチカルゾーン７０の領域内の高さの差の分布を算出する。
【００３９】
近視矯正の場合は、図８（ｂ）に示すように、角膜の中心部を深く切除して、角膜曲率を大きくする。したがって、オプチカルゾーン７０の全領域内における２つの三次元形状の差の最大量分だけ、等価正視角膜表面屈折力より算出した三次元形状を下方へ平行移動する。この移動後の三次元形状が正視にするための角膜矯正形状表面となり、角膜形状測定により算出した三次元形状から等価正視角膜表面屈折力より算出した移動後の三次元形状の差の分布が、切除量の情報となる。（切除後の眼軸長変化が屈折力誤差に与える量は最大でも約0.25Dであり無視できるものである。）
【００４０】
一方、遠視矯正の場合は、図９に示すように、角膜周辺部分を深く切除して、角膜曲率を小さくする。この場合には、オプチカルゾーン７０の全領域内における２つの三次元形状の差の分布が、そのまま切除量の情報となる。
【００４１】
なお、両者の何れの場合も、オプチカルゾーン７０の全領域について最大切除量が角膜切除の許容量を超えるときは、許容量内に収まるようにオプチカルゾーン７０の領域を狭くして、切除量を補正する。また、角膜形状の凹凸により切除量が負になるときは、全体の切除を調節する。
【００４２】
切除量の算出に当たっては、上記のように両三次元形状の差からそのまま切除量の分布を求めるほか、他覚眼屈折力の分布情報を使用して、種々の方法により角膜切除量の情報を得ることができる。
【００４３】
例えば、角膜形状測定による曲率分布、及び等価正視角膜表面屈折力から算出される曲率分布に対して、それぞれオプチカルゾーン内における中心領域から周辺領域にかけて同心円の領域を複数設定し、各領域毎に近似する曲率を算出する。これから三次元形状を求めて角膜切除量の分布を求める（各境界は、滑らかに繋がるように調整しておくと良い）。こうすると、オプチカルゾーンの切除領域全体を一様な球面又はトーリック面として切除する場合に比べて、比較的簡単なレーザビームの制御で、周辺領域での矯正精度を向上できる。
【００４４】
また、角膜形状測定から算出される角膜形状、及び等価正視角膜表面屈折力から算出される角膜形状のそれぞれを複数の領域に分割して、演算式で表現できる非球面形状として、切除量情報を求めるようにすることも可能である。
【００４５】
解析部５４により算出された角膜切除量のデータはＨＤＤ５５ａ又はメモリ５５ｂに記憶される。このデータはキーボード５８等を操作することにより、フロッピドライブ５９ａによるＦＤや通信ポート５９ｂと接続される通信ケーブルを介して、エキシマレーザ光により角膜をアブレーションする角膜手術装置９０に転送入力する。角膜手術装置９０側では、入力された角膜切除量データに基づいて手術眼角膜の各座標上のレーザ照射パルス数、照射パワーを決定し、これに従ってレーザ照射を制御することにより角膜手術を行う。
【００４６】
以上、他覚眼屈折力分布の情報と角膜表面屈折力分布（角膜曲率分布）の情報を角膜矯正手術へ利用する例を示したが、さらに次のように利用することができる。
【００４７】
被検眼の診断として、他覚眼屈折力分布の情報と角膜表面屈折力分布の情報を比較することで、被検眼が持つ乱視成分が角膜形状に起因するものか、角膜表面より後ろから網膜に至る眼内の要素に起因するものかを区別して、定量的かつ定性的に把握することができる。つまり、前述した等価正視角膜表面屈折力の任意の位置のpower から中心のpower を減算することにより、角膜表面を除いて網膜に至る眼内での乱視成分（残余乱視）の分布が算出する。この結果は、図７に示したようなカラーマップでディスプレイ５６に表示される。これから、屈折矯正に使用するコンタクトレンズの適否を判断できる。例えば、不正乱視の被検眼の場合（これは他覚眼屈折力分布の情報から分かる）、眼鏡やソフトコンタクトレンズの処方では視力矯正が十分にできないが、この不正乱視が主に角膜表面形状に起因するものであると分かれば、ハードコンタクトレンズでの矯正を勧めることができる。さらに、白内障を治療するための眼内レンズの挿入においては、眼内レンズを挿入したときの傾きによる乱視誘発を防ぐ情報として利用することができる。
【００４８】
以上説明した形態は種々の変容が可能である。例えば、他覚眼屈折力を得るための測定手段及び角膜形状を得るための測定手段は、それぞれ別個の測定装置として構成し、各測定データを通信手段を介してパーソナルコンピュータに入力し、パーソナルコンピュータ側で解析及びその結果の表示をしても良い。また、別個に構成した何れか一方の測定装置側で解析を行うようにすることもできる。
【００４９】
また、本形態ではプラチドリング投影による角膜形状測定で説明したが、角膜曲率、および角膜の三次元形状が得られる全ての角膜形状測定装置、および他覚眼屈折力分布が得られる全ての原理、方式の他覚眼屈折力測定装置に適用できるものである。
【００５０】
【発明の効果】
以上説明したように本発明によれば、眼屈折力と角膜形状との関係を分かりやすい形式で得ることができる。これにより、適切な診断や屈折矯正を行うことができる。
【図面の簡単な説明】
【図１】本形態の装置の光学系概略配置を示す図である。
【図２】受光部が有する受光素子の配置を示す図である。
【図３】本形態の装置の制御系概略構成を示す図である。
【図４】角膜曲率の演算の方法を説明する図である。
【図５】角膜表面屈折力を算出する方法を示す図である。
【図６】角膜形状測定で得られる屈折力の算出値と他覚眼屈折力で得られる測定値との違いを示す図である。
【図７】カラーマップの表示画面例である。
【図８】近視矯正の場合の角膜切除量を説明する図である。
【図９】遠視矯正の場合の角膜切除量を説明する図である。
【符号の説明】
２５  曲率測定用指標投影光学系
３５  曲率測定用指標検出光学系
５０  制御部
５２  眼屈折力演算部
５３  角膜形状演算部
５４  解析部
５６  カラーディスプレイ
１００  眼屈折力測定光学系
【図１】
0003693493.tif 000010
【図２】
0003693493.tif 000011
【図３】
0003693493.tif 000012
【図４】
0003693493.tif 000013
【図７】
0003693493.tif 000014
【図５】
0003693493.tif 000015
【図６】
0003693493.tif 000016
【図８】
0003693493.tif 000017
【図９】
0003693493.tif 000018